(57)【特許請求の範囲】
【請求項１】
情報を入力するための入力手段と、
該入力手段により入力された前記情報を、光学的に読み取り可能なコードに変換するための変換手段と、
該変換手段で変換された前記コードを記録媒体上に光学的に読み取り可能に記録する記録手段と、
を具備し、
前記変換手段は、前記入力手段により入力された前記情報のデータに対し、インターリーブ処理を施すインターリーブ手段を含んでおり、
前記記録手段は、更に、前記コードの近傍に、当該コードを手動により光学的に読み取って元の前記情報に変換して出力する再生装置のための再生単位である前記インターリーブ処理の範囲を示すマークを記録することを特徴とする情報記録システム。
【請求項２】
前記再生単位である前記インターリーブ処理の範囲を示すマークは、前記再生装置に対する再生動作制御のための制御情報を含む光学的に読み取り可能なコードであることを特徴とする請求項１に記載の情報記録システム。
【請求項３】
情報を入力するための入力手段と、
該入力手段により入力された前記情報を、光学的に読み取り可能なコードに変換するための変換手段と、
該変換手段で変換された前記コードを記録媒体上に光学的に読み取り可能に記録する記録手段と、
を具備し、
前記変換手段は、前記入力手段により入力された前記情報のデータに対し、インターリーブ処理を施すインターリーブ手段を含んでおり、
前記記録手段は、更に、前記コードの近傍に、当該コードを手動により光学的に読み取って元の前記情報に変換して出力する再生装置に対する再生動作制御のための制御情報を含む光学的に読み取り可能なコードを、前記インターリーブ処理の範囲毎に記録することを特徴とする情報記録システム。
【請求項４】
情報が光学的に読み取り可能なコードとして記録されている部分を具備する情報記録媒体において、
前記コードに含まれる前記情報のデータにはインターリーブ処理が施されており、
前記コードの近傍に、当該コードを手動により光学的に読み取って元の前記情報に変換して出力する再生装置のための再生単位である前記インターリーブ処理の範囲を示すマークが記録されていることを特徴とする情報記録媒体。
【請求項５】
前記再生単位である前記インターリーブ処理の範囲を示すマークは、前記再生装置に対する再生動作制御のための制御情報を含む光学的に読み取り可能なコードであることを特徴とする請求項４に記載の情報記録媒体。
【請求項６】
情報が光学的に読み取り可能なコードとして記録されている部分を具備する情報記録媒体において、
前記コードに含まれる前記情報のデータにはインターリーブ処理が施されており、
前記コードの近傍に、当該コードを手動により光学的に読み取って元の前記情報に変換して出力する再生装置に対する再生動作制御のための制御情報を含む光学的に読み取り可能なコードが、前記インターリーブ処理の範囲毎に記録されていることを特徴とする情報記録媒体。
【発明の詳細な説明】
【０００１】
【産業上の利用分野】
本発明は、音声，音楽等のオーディオ情報、カメラ，ビデオ機器等から得られる映像情報、及びパーソナルコンピュータ，ワードプロセッサ等から得られるディジタルコードデータ、等を含めた所謂マルチメディア情報を光学的に読み取り可能なコードとして紙や各種樹脂フィルム、金属等のシートに記録する情報記録システム、及びそのようなコードを読み取るための情報再生システムに関する。また、本発明は、そのような情報記録システム又は情報再生システムに於ける記録媒体に関する。
【０００２】
【従来の技術】
従来より、音声や音楽などを記録する媒体として、磁気テープや光ディスクなど、種々のものが知られている。
しかしこれらの媒体は、大量に複製を作ったとしても単価はある程度高価なものとなり、またその存在にも多大な場所を必要としていた。
【０００３】
さらには、音声を記録した媒体を、遠隔地にいる別の者に渡す必要ができた場合には、郵送するにしても、また直に持っていくにしても、手間と時間がかかるという問題もあった。
【０００４】
そこで、ファクシミリ伝送が可能で、また大量の複製が可能な画像情報の形で音声情報を紙に記録することが考えられている。例えば、特開昭６０−２４４１４５号公報に開示されているように、若干の音声を光学的なコードとすることにより音声情報を画像情報に変換して、ファクシミリで送れるようにしたものが提案されている。
【０００５】
さらに、本発明の出願人による特願平４−２５８２６２号では、オーディオ情報が光学的に読み取り可能なコードで記録されている記録媒体から、このコードを光学的に読み取って元のオーディオ情報に戻す部分を一つの携帯可能な筐体内に納めることにより、何処でも又何回でも記録媒体から音声や音楽などのオーディオ情報を再生することができるものを提案しており、その結果、長時間分のオーディオ情報を記録した記録媒体を利用できるようなオーディオ情報記録再生システムとそれに用いられる記録媒体が実現している。
【０００６】
また、本発明の出願人は、これをオーディオ情報以外の、カメラ，ビデオ機器等から得られる映像情報、及びパーソナルコンピュータ，ワードプロセッサ等から得られるディジタルコードデータ、等をも含めた所謂マルチメディア情報全体に関してまで発展させ、特願平５−２６０４６４号として出願している。
【０００７】
【発明が解決しようとする課題】
しかしながら、オーディオ情報を入力するための入力手段と、該入力手段により入力されたオーディオ情報を、光学的に読み取り可能なコードに変換するための変換手段と、該変換手段によって変換されたコードを記録媒体上に印刷記録する記録手段と、前記記録媒体上に印刷されたコードを光学的に読み取る読取手段と、該読取手段で読み取ったコードをオーディオ情報に逆変換する逆変換手段と、該変換手段により逆変換されたオーディオ情報を音として出力する音出力手段とを具備した装置では、変換手段によってコードに変換される音声情報が大量にあり、その結果、変換されたコードが記録手段によって記録媒体上に一列以内乃至は一つのまとまったかたまりとして印字しきれなかった場合には、次段より、複数列乃至複数個にわたってコード情報を印字することが行われる恐れがある。
【０００８】
従って、音声情報が大量にあり、一つの再生単位の音声情報が記録媒体上で複数にまたがって印字されている場合には、音声情報の再生時には、光学的読取手段を複数の列乃至かたまりにまたがって手動走査させ、音声情報が変換されたコードの印字分全てを読み込み終らなければ、意図する音声が再生されなかった。これは、音声情報の場合に限るものではなく、マルチメディア情報全体に於いても同様である。
【０００９】
本発明は、上記の点に鑑みてなされたもので、マルチメディア情報が大量にあり、一つの再生単位のマルチメディア情報が記録媒体上で複数の列にまたがって印字されている場合にも、簡単な操作で効率良くマルチメディア情報の再生ができるようにする情報記録システム及び情報記録媒体を提供することを目的とする。
【００１０】
【課題を解決するための手段】
上記の目的を達成するために、本発明による情報記録システムは、情報を入力するための入力手段と、該入力手段により入力された上記情報を、光学的に読み取り可能なコードに変換するための変換手段と、該変換手段で変換された上記コードを記録媒体上に光学的に読み取り可能に記録する記録手段とを備え、上記変換手段は、上記入力手段により入力された上記情報のデータに対し、インターリーブ処理を施すインターリーブ手段を含んでおり、上記記録手段は、更に、上記コードの近傍に、当該コードを手動により光学的に読み取って元の上記情報に変換して出力する再生装置のための再生単位である上記インターリーブ処理の範囲を示すマークを記録することを特徴とする。
或いは、本発明による情報記録システムは、情報を入力するための入力手段と、該入力手段により入力された上記情報を、光学的に読み取り可能なコードに変換するための変換手段と、該変換手段で変換された上記コードを記録媒体上に光学的に読み取り可能に記録する記録手段とを備え、上記変換手段は、上記入力手段により入力された上記情報のデータに対し、インターリーブ処理を施すインターリーブ手段を含んでおり、上記記録手段は、更に、上記コードの近傍に、当該コードを手動により光学的に読み取って元の上記情報に変換して出力する再生装置に対する再生動作制御のための制御情報を含む光学的に読み取り可能なコードを、上記インターリーブ処理の範囲毎に記録することを特徴とする。
【００１２】
さらに、本発明による情報記録媒体は、情報が光学的に読み取り可能なコードとして記録されている部分を備える情報記録媒体において、上記コードに含まれる前記情報のデータにはインターリーブ処理が施されており、上記コードの近傍に、当該コードを手動により光学的に読み取って元の上記情報に変換して出力する再生装置のための再生単位である上記インターリーブ処理の範囲を示すマークが記録されていることを特徴とする。
或いは、本発明による情報記録媒体は、情報が光学的に読み取り可能なコードとして記録されている部分を備える情報記録媒体において、上記コードに含まれる上記情報のデータにはインターリーブ処理が施されており、上記コードの近傍に、当該コードを手動により光学的に読み取って元の上記情報に変換して出力する再生装置に対する再生動作制御のための制御情報を含む光学的に読み取り可能なコードが、上記インターリーブ処理の範囲毎に記録されていることを特徴とする。
【００１３】
【作用】
即ち、本発明の情報記録システム及び情報記録媒体によれば、コードの近傍に、当該コードを手動により光学的に読み取って元の情報に変換して出力する再生装置のための再生単位であるインターリーブ処理の範囲を示すマークを記録するので、このマークを参照することによって、効率よく再生のためのスキャン作業を行うことができるようになる。
【００１４】
また、本発明の情報記録システム及び情報記録媒体によれば、記録媒体上のコードの近傍に、情報再生システムに対する再生動作制御のための制御情報を含む光学的に読み取り可能なコードを、インターリーブ処理の範囲毎に記録しておくことで、再生の際には、読み取られたコードに含まれる上記制御情報に従って情報の再生動作を行うことができるので、上記制御情報に従って予め意図された範囲で情報の再生が可能となる。
【００１５】
【実施例】
以下、本発明の実施例を図面を参照して説明する。
〔第１実施例〕
以下に、音声、音楽等のオーディオ情報に限らず、カメラ、ビデオ機器等から得られる映像情報、及びパーソナルコンピュータ（以下、パソコンと称す）、ワードプロセッサ（以下、ワープロと称す）等から得られるディジタルコードデータ、等を含めた、マルチメディア情報を取り扱う実施例について説明する。
【００１６】
図１は、そのようなマルチメディア情報を記録するためのマルチメディア情報記録装置のブロック構成図である。なお、本実施例では、コードの一例として、後述するドットコードを採用した例について述べる。
【００１７】
即ち、マルチメディア情報の内、オーディオ情報については、マイクロホンやオーディオ出力機器１０から入力され、プリアンプ１２で増幅後、Ａ／Ｄ変換器１４でディジタルに変換されて、圧縮処理部１６に供給される。
【００１８】
圧縮処理部１６では、入力ディジタルオーディオ情報は、スイッチ１８によりＡＤＰＣＭ回路２０と音声合成コード化回路２２とに選択的に供給されるようになっている。ＡＤＰＣＭ回路２０は、入力ディジタルオーディオ情報を適応型の差動ＰＣＭすることによりデータ圧縮を施す。音声合成コード化回路２２は、入力ディジタルオーディオ情報に対して、１つ音声を認識した後、コードに変換する。これは、上記ＡＤＰＣＭが音声情報という形でそれを符号化しデータ量を減らしていく即ち音声情報自体を処理をしていくのに対して、一旦別の合成のコードに変えてしまうことで相対的にデータ量を減らすものである。上記スイッチ１８の切り換えについては、例えば、ユーザの方で目的に応じて、例えば、手動で切り換えるようになっている。あるいは、例えばオーディオ出力機器からの情報のように高音質のものについてはＡＤＰＣＭ回路２０を通し、例えばマイクロホンからの人の話声やコメントというようなものについては音声合成コード化回路２２を通すというように予め決めておけば、入力されたオーディオ情報がどちらのものであるのかをスイッチの前段で認識をして自動的に切り換えるという構成にすることも可能である。
【００１９】
また、もう既にディジタルコードデータとして形成されているパソコン、ワープロ、ＣＡＤ、電子手帳や通信等からくる各種データは、インタフェース（以下、Ｉ／Ｆと称す）２４を介して、まずデータ形態判別回路２６に入力される。このデータ形態判別回路２６は、基本的に、後段の圧縮処理部１６で圧縮が可能かどうかを判断するもので、データが既に何等かの圧縮処理が行われており、後段の圧縮処理部１６での効果が得られない情報については、圧縮処理部１６をバイパスさせて圧縮処理部１６の後段にダイレクトに渡し、また、入力データが非圧縮データの場合には、それを圧縮処理部１６に送る。
【００２０】
上記データ形態判別部２６にて非圧縮のコードデータであると判断されたデータは、圧縮処理部１６に入力され、ハフマン，算術符号，ジブレンペル等の圧縮回路２８にてコードデータを最適に圧縮する圧縮処理が行なわれる。なお、この圧縮回路２８は、上記音声合成コード化回路２２の出力に対する圧縮処理も行なうようになっている。
【００２１】
また、カメラやビデオ出力機器等３０の画像情報は、プリアンプ３２による増幅及びＡ／Ｄ変換器３４でのＡ／Ｄ変換後、圧縮処理部１６に供給される。
圧縮処理部１６では、像域判定及び分離回路３６にて、入力された画像情報が手書き文字やグラフ等の二値画像なのか、それとも自然画像等の多値画像なのかを判別する。この像域判定及び分離回路３６は、例えば、本発明の出願人による特願平５−１６３６３５号に示されているようなニューラルネットを利用した判別像域分離の手法を用いて、二値画像データと多値画像データを分離する。そして、二値画像データは、二値圧縮として一般的なＭＲ／ＭＨ／ＭＭＲ等の二値圧縮処理回路３８で圧縮され、多値画像データについては、例えばＤＰＣＭあるいはＪＰＥＧ等の静止画像の圧縮機能を使って多値圧縮処理回路４０で圧縮される。
【００２２】
以上のようにしてそれぞれ圧縮処理を施されたデータは、適宜データ合成処理部４２で合成される。
なお、必ずしもそれぞれの情報入力及び圧縮処理の系統を並列的に全て備えている必要はなく、目的に応じて、一つあるいは複数の系統を適宜組み合わせて構成するようにしても良い。従って、上記データ合成処理部４２は必ずしも必要なものではなくて、データ系統が１種類しかないものについては、これを省略し、直接次段のエラー訂正符号付加部４４へ入力する構成とすることができる。
【００２３】
エラー訂正符号付加部４４ではエラー訂正符号が付加される。そして、次のデータメモリ部４６では、まず、それぞれのデータが記憶されて、その後、インターリーブ処理が行われる。これは、実際にドットコードとして記録され、そしてそれが再生される際に、少しでもエラーを減らす、例えば、ノイズ等によるブロックエラーというものを少しでもなくして訂正能力を高めるために、連続するデータ列を適宜離れた位置に分散させていく処理である（シャフリングとも呼称する）。即ち、バーストエラーをドットエラーの単位に危険度を下げるという作業を行う。
【００２４】
なお、データメモリ部４６にてインターリーブ処理を終了する都度、インターリーブ処理終了のタイミングをもって、インターリーブ範囲提示マーク付加処理部４８に対してインターリーブ終了信号を送出する。インターリーブ範囲提示マーク付加処理部４８では、このインターリーブ終了信号によって、入力されたデータのインターリーブのタイミングを判断する。
【００２５】
こうしてインターリーブされたデータは、アドレスデータ付加部５０により、ブロックのアドレス，アドレス用のエラー判定符号（ＣＲＣ等）を付加し、その結果が変調回路５２に入力される。変調回路５２では、例えば８ビットのデータを１０ビットの８−１０変調というような、別のビット数のものに変換して、そのうちから、例えば８−１０変調であれば１０２４選べるが、その内の８ビット分、即ち、２５６のものを選択して対応付けていく。
【００２６】
その後、マーカ付加部５４にて、上記変調回路５２で対応付けた２５６通りのデータ列には無いデータ列を使ってマーカを生成して付加する。ここで、マーカを付加してから変調を行うことも可能であるが、このようにマーカを変調の後に付加することで、マーカまでもが変調されてしまって、逆にマーカとして認識しにくくなるということを解消する効果がある。
【００２７】
こうしてマーカ付加されたデータは、インターリーブ範囲提示マーク付加処理部４８に入力される。このインターリーブ範囲提示マーク付加処理部４８は、データメモリ部４６より入力されたインターリーブ終了信号を参照することによって、入力されたマーカの付加されたデータのインターリーブのタイミングを判断し、ドットデータの周辺にそのデータそのもののインターリーブ範囲を示すマークを付加する。
【００２８】
例えば、図２の（Ａ）に示すように、例えば画像５６と文字５８が印刷されているような紙片（情報記録媒体）６０にドットコード６２が印字されているものとして、そのドットコード６２が行単位でインターリーブされているとするならば、上記ドットコード６２の行単位にインターリーブ範囲を示すインターリーブ範囲提示マーク６４が印字される。本実施例では、各行毎の右下にインターリーブ範囲提示マーク６４がマーキングされている。
【００２９】
このインターリーブ範囲提示マーク６４を参照することによって、図２の（Ｂ）の使用場面に示すように、ドットコード６２をインターリーブ単位でペン型再生装置６６によって効率良く読み込むことができ、イヤーホーン６８で聴くことができる。
【００３０】
こうしてインターリーブされた範囲を示すマークが付加されたデータは、合成及び編集処理部７０に送られて、この生成されたデータ以外の、本来のドットコード以外の、記録紙に記録されるデータ、例えば、画像やタイトルや文字等と合成され、あるいはレイアウト等の編集をされ、またプリンタへの出力の形態や印刷製版対応のデータフォーマットに変換されて、次のプリンタシステムや印刷用製版システム７２に送られる。そして、このプリンタシステムや印刷用製版システム７２で、最終的に、シート，テープ，及び印刷物等に印刷される。
【００３１】
なお、合成及び編集処理部７０に於ける編集処理は、紙面情報とドットコードのレイアウト、コードのドットサイズを印刷機、プリンタ等の分解能に合わせる、ワード単位，内容の区切り等でコード長を適宜区切り段変えを行う即ち一列を次のラインに移す段変えを行う、等の編集作業を含む。
【００３２】
こうして印刷された印刷物はＦＡＸ７４により送信される。また、合成及び編集処理部７０で生成されたデータを印刷する代わりに、直接ＦＡＸ送信するものとしても良い。
【００３３】
ここで、図２の（Ａ）を参照して、本実施例に於けるドットコード６２の概念を説明する。本実施例のドットコード６２のデータフォーマットでは、１つのブロック７６は、マーカ７８、ブロックアドレス８０、及びアドレスのエラー検出，エラー訂正データ８２と、実際のデータが入るドットデータエリア８４とから成っている。そして、このブロック７６が縦，横、二次元的に配列され、それが集まってドットコード６２という形で形成される
なお、インターリーブの範囲は入力される音声の有音部（即ち、文節）の長さに応じて変わるわけであるから、再生装置（リーダ）側でもこれに応じて再生できるようにするためには、記録される媒体側にインターリーブ範囲を示す符号をドットコード毎に付加するといった方法が考えられる。この場合は、それに応じた読み取り処理／デ・インターリーブ処理をリーダ側で行う必要がある。
【００３４】
例えば、記録側で、ドットコードの最大アドレスを含んだブロックにそれが最大アドレスであることを示すフラグを立てても良く、あるいはドットコードの全てのブロックに最大アドレスの値を付加し、リーダ側でドットコードの最大アドレスを認識する等の方法により、それに基づいたデ・インターリーブ処理を行っても良い。
【００３５】
〔第２実施例〕
以下に、マルチメディア情報を取り扱う第２実施例について説明する。
前述の第１実施例では、ドットコードに対してインターリーブ単位でその範囲を明示するインターリーブ範囲提示マークを付加することを特徴としたが、本第２実施例では、さらにそれらの提示マークがペン型再生装置６６によって読み込まれることによって再生の制御を行うことを特徴としている。
【００３６】
図３は、そのようなマルチメディア情報を記録するためのマルチメディア情報記録装置のブロック構成図である。同図に於いて、データメモリ部４６までの構成は、前述の第１実施例の構成と同様であるので、ここではその説明を省略する。
【００３７】
データメモリ部４６でインターリーブされたデータは、アドレスデータ付加部８６により、各ブロックのアドレス、そのドットコードのインターリーブ範囲単位毎の共通シリアル番号、さらには、アドレス・シリアル番号用のエラー判定符号（ＣＲＣ等）を付加する。そして、その結果が、変調回路５２に入力される。変調回路５２では、例えば８ビットのデータを１０ビットの８−１０変調というような、別のビット数のものに変換して、そのうちから、例えば８−１０変調であれば１０２４選べるが、その内の８ビット分、即ち、２５６のものを選択して対応付けていく。その後、前述のマーカ付加部５４に相当する第１マーカ付加部８８にて、上記変調回路５２で対応付けた２５６通りのデータ列には無いデータ列を使って第１マーカを生成して付加する。ここで、第１マーカを付加してから変調を行うことも可能であるが、このように第１マーカを変調の後に付加することで、第１マーカまでもが変調されてしまって、逆に第１マーカとして認識しにくくなるということを解消する効果がある。
【００３８】
一方、アドレスデータ抜き取り部９０は、上記アドレスデータ付加部８６より、該当するドットコードのインターリーブ範囲内共通シリアル番号と、ＣＲＣの付加された最大アドレス値を抜き取る。
【００３９】
さらに一方、制御符号付加部９２は、上記ドットコード毎に制御符号を発生させる。これは、例えば、制御符号として再生開始符号を付加したければ、予め決められた制御符号を、符号量的には１データブロック分、発生する。こうして発生された符号量的には１データブロック分の予め決められた制御符号には、さらに、制御符号用エラー判定符号付加部９４にてエラー判定符号が付加される。
【００４０】
そして、最終的には、第２データ合成部９６にて、アドレスデータ抜き取り部９０より出力された上記インターリーブ範囲内共通シリアル番号及びＣＲＣの付加された最大アドレス値と、上記制御符号用エラー判定符号付加部９４より出力されたエラー判定符号が付加された制御符号とが合成される。
【００４１】
このデータ合成部９６にて合成された、インターリーブ範囲内共通シリアル番号と、ＣＲＣの付加された最大アドレス値と、エラー判定符号が付加された制御符号は、変調回路９８にて紙面上に印字可能なように変調される。この変調回路９８に於いても、上記変調回路５２と同様に、例えば８ビットのデータを１０ビットの８−１０変調というような、別のビット数のものに変換して、そのうちから、例えば８０変調であれば１０２４選べるが、その内の８ビット分、即ち、２５６のものを選択して対応付けていく。
【００４２】
その後、第２マーカ付加部１００にて、上記変調回路９８で対応付けた２５６通りのデータ列には無いデータ列を使って第２マーカを生成して付加する。
ここで、図４を参照して、第２変調回路９８にて変調され、第２マーカ付加部１００にてマーカ付加されたドットコード制御ブロックの構成を説明する。
【００４３】
ドットコード制御ブロック１０２は、同図に示すように（第２）マーカ１０４とエラー訂正符号の付加された制御符号データ１０６と、最大ブロックアドレス，共通シリアルナンバ（インターリーブ単位共通シリアルナンバ，最大Ｘアドレス，最大Ｙアドレス）１０８、アドレス値，共通シリアル値用のエラー検出用データ１１０からなり、これらによって構成されたブロックを後述するペン型再生装置によって読み込むことにより、予め決められた制御内容で再生を行うものである。
【００４４】
なおここで、予め決められた制御内容とは、例えば、再生開始制御であるとか、ドットコードの合成と同時出力であるとか、様々な再生にかかわる制御の内容が、各ドットコードに応じて設定可能であり、しかもユーザ側でそれらの制御内容の実行／不実行を選択できるといったメリットがある。またここで、前記ドットコード制御ブロック１０２に付加された共通シリアルナンバは、対象となるドットコード制御ブロックが再生制御されるドットコードと該当するものか否かを判別するための種類識別情報として付加されているものであり、最大Ｘアドレスと最大Ｙアドレスは、制御内容によっては該当するブロックが全アドレス分読み込まれたかを判別するための完了認識情報として付加されているものである。
【００４５】
さらに、ドットコード制御ブロック１０２は１つのブロックから構成されても良いが、場合によっては、同一の制御符号や最大アドレス、共通シリアル値等を繰り返し記述するような複数のブロックから構成されても良い。
【００４６】
上記第１マーカ付加部５４にてマーカ付加されたデータは、ドットコード制御ブロック付加処理部１１２にて、ドットデータの周辺にそのデータそのもののインターリーブ範囲を示すマーカを付加する。例えば、図４に示すように、例えば画像５６と文字５８が印刷されているような紙片（情報記録媒体）６０にドットコード６２が印字されているものとして、そのドットコード６２が行単位でインターリーブされているとするならば、上記ドットコードの行単位に前記ドットコード制御ブロック１０２が印字される。この実施例では、各行毎の右下にドットコード制御ブロック１０２が印字されている。
【００４７】
このドットコード制御ブロック１０２を参照することによって、ドットコード６２をインターリーブ単位で、前述の第１実施例に於いて説明したようなペン型再生装置６６によって効率良く読み込むことも勿論できる。さらに、上記ペン型再生装置６６にこのドットコード制御ブロック１０２から制御符号データ１０６や最大ブロックアドレス，共通シリアルナンバ１０８を誤り訂正／復号して、予め決められた制御符号に従って再生動作を行う機能を付加すれば、そのようなペン型再生装置６６を用いた場合には効率良く読み取り／再生するための目印としての機能に加えて、任意の（印刷側から見て）再生制御の実行／不実行を、ユーザ側では該当するそのようなドットコード制御ブロック１０２を読み込む／読み込まないという操作の違いだけで、選択することができる。
【００４８】
例えば、全てのドットコード制御ブロック１０２が（予め記録側と再生側で決められた）再生開始制御符号を記録したものであれば、各シャフリング単位毎にこれを読み込んで、最小のシャフリング範囲で再生しながら読み込みを続けても良いし、ドットコード制御ブロック１０２は全てのドットコードを読み込み終了した段階で読み込み、全てのドットコードの再生を開始しても良い。あるいは、全てのドットコード制御ブロックが合成を示すものであれば、合成したい音声のみをドットコードのスキャンとして選択した後に同時発生することや、合成したい画像やデータを希望するレイアウトで重ね合せることも可能となる。
【００４９】
こうしてマーカ付加されたドットコード６２やドットコード制御ブロック１０２等のデータは、合成及び編集処理部７０に送られて、この生成されたデータ以外の、本来の記録紙に記録されるデータ、例えば、画像やタイトルや文字等と合成され、あるいはレイアウト等の編集をされ、またプリンタへの出力の形態や印刷製版対応のデータフォーマットに変換されて、次のプリンタシステムや印刷用製版システム７２に送られる。そして、このプリンタシステムや印刷用製版システム７２で、最終的に、シート，テープ，及び印刷物等に印刷される。
【００５０】
なお、合成及び編集処理部７０に於ける編集処理は、紙面情報とドットコードのレイアウト、コードのドットサイズを印刷機，プリンタ等の分解能に合わせる、ワード単位，内容の区切り等でコード長を適宜区切り段変えを行う即ち一列を次のラインに移す段変えを行う、等の編集作業を含む。
【００５１】
こうして印刷された印刷物はＦＡＸ７４により送信される。また、合成及び編集処理部７０で生成されたデータを印刷する代わりに、直接ＦＡＸ送信するものとしても良い。
【００５２】
なお、インターリーブの範囲は入力される音声の有音部（即ち、文節）の長さに応じて変わるわけであるから、リーダ側でもこれに応じて再生できるようにするためには、記録される媒体側にインターリーブ範囲を示す符号をドットコード毎に付加するといった方法が変えられる。この場合は、それに応じた読み取り処理／デ・インターリーブ処理をリーダ側で行う必要もある。
【００５３】
例えば、記録側で、ドットコードの最大アドレスを含んだブロックにそれが最大アドレスであることを示すフラグを立てても良く、あるいはドットコードの全てのブロックに最大アドレスの値を付加し、リーダ側でドットコードの最大アドレスを認識する等の方法により、それに基づいたデ・インターリーブ処理を行っても良い。
【００５４】
あるいは、本実施例のように、インターリーブの範囲を示すマーカそのものが最大アドレス情報を有する場合には、リーダ側はその情報を利用するといったことも可能である。
【００５５】
ここで、本実施例のドットコード制御ブロック１０２がドットコード近傍に印字されたマルチメディア情報の再生装置の構成を、図５のブロック図を参照して説明する。
【００５６】
この情報再生装置は、ドットコード６２が印刷されている紙片６０からドットコードを読み取るための検出部１１４、この検出部１１４から供給される画像データをドットコードとして認識しノーマライズを行う走査変換部１１６、多値データを二値にする二値化処理部１１８、復調部１２０、データ列を調整する調整部１２２、再生時の読み取りエラー，データエラーを訂正するデータエラー訂正部１２４、データをそれぞれの属性に合わせて分離するデータ分離部１２６、それぞれの属性に応じたデータ圧縮処理に対する伸長処理部、表示部あるいは再生部、あるいは他の入力機器から成る。
【００５７】
検出部１１４に於いては、光源１２８にて紙片６０上のドットコード６２を照明し、反射光をレンズ等の結像光学系１３０及びモアレ等の除去のための空間フィルタ１３２を介して、光の情報を電気信号を変換する例えばＣＣＤ，ＣＭＤ等の撮像部１３４で画像信号として検出し、プリアンプ１３６にて増幅して出力する。これらの光源１２８，結像光学系１３０，空間フィルタ１３２，撮像部１３４，及びプリアンプ１３６は、外光に対する外乱を防ぐための外光遮光部１３８内に構成される。そして、上記プリアンプ１３６で増幅された画像信号は、Ａ／Ｄ変換部１４０にてディジタル情報に変換されて、次段の走査変換部１１６に供給される。
【００５８】
なお、上記撮像部１３４は、撮像部制御部１４２により制御される。例えば、撮像部１３４としてインターライン転送方式のＣＣＤを使用する場合には、撮像部制御部１４２は、撮像部１３４の制御信号として、垂直同期のためのＶブランク信号、情報電荷をリセットするための撮像素子リセットパルス信号、二次元に配列された電荷転送蓄積部に蓄積された電荷を複数の垂直シフトレジスタへ送るための電荷転送ゲートパルス信号、水平方向に電荷を転送し外部に出力する水平シフトレジスタの転送クロック信号である水平電荷転送ＣＬＫ信号、上記複数の垂直シフトレジスタ電荷を垂直方向に転送して上記水平シフトレジスタに送るための垂直電荷転送パルス信号、等を出力する。これらの信号のタイミングは、図６に示される。
【００５９】
そして、撮像部制御部１４２は、このタイミングに合わせながら光源１２８の発光のタイミングをとるための発光セルコントロールパルスを光源に与える。
基本的に、図６のタイミングチャートは、１フィールド分の概念図である。画像データは、この１フィールドのＶブランクからＶブランクまでの間に読み出される。光源１２８は連続点灯するのではなくてパルス点灯を行い、フィールド単位に同期させながら、後続のパルス点灯を行うものとしている。この場合、パルス点灯させる上でのクロックノイズが信号出力に入らないように、Ｖブランキング期間中、即ち画像電荷を出力していない間に露光するようなタイミングにコントロールされる。即ち、発光セルコントロールパルスは、瞬間的に電力を与えることにより発生する非常に細かいディジタルのクロックパルスであるため、それによるノイズがアナログの画像信号に入らないようにすることが必要であり、そのための処置として、Ｖブランキング期間中に光源１２８をパルス点灯させるようにしている。こうすることによって、Ｓ／Ｎの向上が図られる。また、パルス点灯させるということは、発光時間を短くすることであり、よって手動操作の振れと移動によるぼけの影響をなくすという大きな効果がある。これによって、高速にスキャンすることが可能になる。
【００６０】
また、再生装置が傾いたりして、外光遮光部１３８があるにも拘らずなんらかの原因で外光等の外乱が入った場合にも、Ｓ／Ｎ劣化を最低限に抑えるために、Ｖブランキング期間に光源１２８を発光させる直前に一度、撮像素子リセットパルスを出力して画像の信号をリセットし、その直後に発光を行い、その後すぐに、読み出しを行っていくようにしている。
【００６１】
ここで、図５に戻り、走査変換部１１６を説明する。この走査変換部１１６は、検出部１１４から供給される画像データをドットコード（ドットコード制御ブロック１０２のドットコードを含む）として認識し、ノーマライズを行う部分である。その手法として、まず検出部１１４からの画像データを画像メモリ１４４に格納し、そこから一度読み出してマーカ検出部１４６に送る。このマーカ検出部１４６では、各ブロック毎のマーカを検出する。そして、データ配列方向検出部１４８は、そのマーカを使って、回転あるいは傾き、データの配列方向を検出する。アドレス制御部１５０は、その結果をもとに上記画像メモリ１４４からそれを補正するように画像データを読み出して補間回路１５２に供給する。なおこの時に検出部１１４の結像光学系１３０に於けるレンズの収差の歪みを補正用のメモリ１５４からレンズ収差情報を読み出して、レンズの補正も併せ行う。そして、補間回路１５２は、画像データに補間処理を施して、本来のドットコードのパターンという形に変換していく。
【００６２】
補間回路１５２の出力は、二値化処理部１１８に与えられる。基本的には、ドットコード６２は図２からも分かるように、白と黒のパターン、即ち二値情報であるので、この二値化処理部１１８で二値化する。その時に、閾値判定回路１５６により、外乱の影響、信号振幅等の影響を考慮した閾値の判定を行いながら適応的に二値化が行われる。
【００６３】
そして、記録の際には変調が行われているので、復調部１２０でそれをまず復調した後、データ列調整部１２２にデータが入力される。
このデータ列調整部１２２では、まずブロックアドレス検出部１５８により前述した二次元ブロックのブロックアドレスを検出し、その後、ブロックアドレスの誤り検出，訂正部１６０によりブロックアドレスのエラー検出及び訂正を行った後、アドレス制御部１６２に於いてそのブロック単位でデータをデータメモリ部１６４に格納していく。このようにブロックアドレスの単位で格納することで、途中抜けた場合、あるいは途中から入った場合でも、無駄なくデータを格納していくことができる。
【００６４】
その後、データメモリ部１６４から読み出されたデータに対してデータエラー訂正部１２４にてエラーの訂正が行われる。このエラー訂正部１２４の出力は二つに分岐されて、一方はＩ／Ｆ１６６を介して、ディジタルデータのままパソコンやワープロ，電子手帳，等に送られていく。他方は、データ分離部１２６に供給され、そこで、画像、手書き文字やグラフ、文字や線画、音（そのままの音の場合と音声合成をされたものとの２種類）、さらには、ドットコード制御ブロック１０２より抽出された制御符号データ１０６に分けられる。
【００６５】
制御符号データ１０６は再生制御部１６８に送られ、予め決められた再生制御内容の記憶されてある再生制御テーブル１７０を参照し、上記再生制御内容に応じた再生制御を行う。
【００６６】
画像は、自然画像に相当するもので、多値画像である。これは、伸長処理部１７２により、圧縮した時のＪＰＥＧに対応した伸長処理が施され、さらにデータ補間回路１７４にてエラー訂正不能なデータの補間が行われる。
【００６７】
また、手書き文字やグラフ等の二値画像情報については、伸長処理部１７６にて、圧縮で行われたＭＲ／ＭＨ／ＭＭＲ等に対する伸長処理が行われ、さらにデータ補間回路１７８にてエラー訂正不能なデータの補間が行われる。
【００６８】
文字や線画については、ＰＤＬ（ページ記述言語）処理部１８０を介して表示用の別のパターンに変換される。なおこの場合、線画，文字についても、コード化された後にコード用の圧縮処理が施されているものについては、それに対応する伸長処理部１８２で伸長（ハフマンやジブペンシル等）処理を行ってから、ＰＤＬ処理部１８０に供給されるようになっている。
【００６９】
上記データ補間回路１７４，１７８及びＰＤＬ処理部１８０の出力は、合成又は切り換え回路１８４により、合成あるいはセレクトを行って、Ｄ／Ａ変換部１８６でアナログ信号に変換後、ＣＲＴ（テレビモニタ）やＦＭＤ（フェイスマウンテッドディスプレイ）等の表示装置１８８にて表示される。なお、上記ＦＭＤとは、顔面装着用の眼鏡型モニタ（ハンディーモニタ）であり、例えばバーチャルリアリティー等の用途や、小さな場所で大きな画面で構成されたものを見るときに効果がある。
【００７０】
また、音声情報については、伸長処理部１９０にてＡＤＰＣＭに対する伸長処理が行われ、さらにデータ補間回路１９２にてエラー訂正不能なデータの補間が行われる。あるいは、音声合成の場合には、音声合成部１９４にて、その音声合成のコードをもらって実際にコードから音声を合成して出力する。なおこの場合、コードそのものが圧縮されている時には、上記文字，線画と同様に、伸長処理部１９６にてハフマンもしくはジブレンペル等の伸長処理を行ってから音声合成を行う。
【００７１】
データ補間回路１９２及び音声合成部１９４の出力は、合成又は切り換え回路１９８により、合成あるいはセレクトを行って、Ｄ／Ａ変換部２００でアナログ信号に変換後、スピーカやヘッドホン、その他それに準ずる音声出力装置２０２に出力される。
【００７２】
また、文字や線画等については、データ分離部１２６からページプリンタやプロッタ等２０４に直接出力されて、文字等はワープロ文字として紙に印刷され、あるいは、線画等は図面等としてプロッタ出力されることもできる。
【００７３】
もちろん、画像についても、ＣＲＴやＦＭＤだけではなく、ビデオプリンタ等でプリントすることも可能であるし、その画像を写真に撮ることも可能である。
なお、ここで再生制御部１６８は、上記の再生制御内容に応じて合成又は切り換え回路１８４，１９８、Ｄ／Ａ変換部１８６，２００、ＣＲＴやＦＭＤ等の表示装置１８８、スピーカやヘッドホン等の音声出力装置２０２を制御して、各々のドットコード６２のデータに応じた再生動作を行う。
【００７４】
例えば、上記制御内容が音声の高速な再生であれば、合成又は切り換え回路１９８やＤ／Ａ変換部２００に制御内容に応じたクロックを与えて高速再生を行ったり、再生の音量を変化させるといった制御内容であれば、これに応じた音量制御を音声出力装置２０２に施す。画像の再生制御についても、制御内容が例えば一定時間後の画面のフェードアウトであれば、これに応じた制御を例えばＣＲＴに施すといったことが考えられる。
【００７５】
〔第３実施例〕
次に、音声，音楽等のオーディオ情報を取り扱う実施例について説明する。
図７は、そのようなオーディオ情報を記録するためのオーディオ情報記録装置のブロック構成図であり、前述の第１実施例と同様の部分には同じ参照符号が付してある。
【００７６】
即ち、オーディオ情報は、マイクロホンやオーディオ出力機器１０から入力され、プリアンプ１２で増幅後、音声有無判別部２０６にて随時音声入力の有無が判別される。これは、例えば、予め設定された音声入力のレベルを基準に比較判断する比較器により構成される。上記音声有無判別部２０６にて音声有りと判別されたオーディオ情報は、Ａ／Ｄ変換器１４でディジタルに変換され、このＡ／Ｄ変換器１４で変換されたディジタルオーディオ情報は、ＡＤＰＣＭ回路２０に供給される。ＡＤＰＣＭ回路２０は、入力ディジタルオーディオ情報を適応型の差動ＰＣＭすることによりデータ圧縮を施し直接次段のエラー訂正符号付加部４４へ入力され、このエラー訂正符号付加部４４にてエラー訂正符号が付加される。
【００７７】
そして次のデータメモリ部４６では、まず、それぞれのデータが記憶されて、その後、インターリーブ処理が行われる。これは、実際にドットコードとして記録され、そしてそれが再生される際に、少しでもエラーを減らす、例えば、ノイズ等によるブロックエラーというものを少しでもなくして訂正能力を高めるために、連続するデータ列を適宜離れた位置に分散させていく処理である。こうしてインターリーブされたデータは、アドレスデータ付加部５０により、ブロックのアドレス、アドレス用のエラー判定符号（ＣＲＣ等）を付加し、その結果が変調回路５２に入力される。変調回路５２では、例えば８ビットのデータを１０ビットの８−１０変調というような、別のビット数のものに変換して、そのうちから、例えば８−１０変調であれば１０２４選べるが、その内の８ビット分、即ち、２５６のものを選択して対応付けていく。
【００７８】
その後、マーカ付加部５４にて、上記変調回路５２で対応付けた２５６通りのデータ列には無いデータ列を使ってマーカを生成して付加する。
一方、上記音声有無判別部２０６にて無音状態であると判別された時には、タイムカウンタ２０８がその無音状態の時間をカウントする。このタイムカウンタ２０８は、音声有無判別部２０６にて次の音声の入力が判別されるまでカウントを続け、そのカウンタ値を、カウンタ値符号化部２１０に入力する。
【００７９】
カウンタ値符号化部２１０は、まず、入力されたカウンタ値を記憶して、記憶されたカウンタ値のデータ誤りを強力に補正するために複数ブロック分にわたって繰り返し読み出し、符号化する。即ち、同一内容のブロックが縦横方向に繰り返し印字記録される結果となる。複数ブロック分にわたって繰り返し読み出され符号化されたカウンタ値は、エラー訂正符号付加部２１２にてエラー訂正符号が付加される。
【００８０】
さらに、このエラー訂正符号が付加されたデータに対して、上記アドレスデータ付加部５０により、ブロックのアドレス、アドレス用のエラー判定符号（ＣＲＣ等）を付加し、その結果が上記変調回路５２に入力される。変調回路５２でも同様に、例えば８ビットのデータを１０ビットの８−１０変調というような、別のビット数のものに変換して、そのうちから、例えば８−１０変調であれば１０２４選べるが、その内の８ビット分、即ち、２５６のものを選択して対応付けていく。
【００８１】
その後、上記マーカ付加部５４にて、上記変調回路５２で対応付けた２５６通りのデータ列には無いデータ列を使って、音声入力時と同様にマーカを生成して付加する。
【００８２】
こうして前記音声有無判別部２０６にて音声有りと判別され、マーカ付加されたデータと、同様に前記音声有無判別部２０６にて音声無しと判別されタイムカウント値にマーカ付加されたデータはそれぞれ別々に合成及び編集処理部７０に送られて、画像やタイトルや文字等と合成され、あるいはレイアウト等の編集をされ、またプリンタへの出力の形態や印刷製版対応のデータフォーマットに変換されて、次のプリンタシステムや印刷用製版システム７２に送られる。そして、このプリンタシステムや印刷用製版システム７２で、最終的にシート，テープ，及び印刷物等に印刷される。
【００８３】
なお、合成及び編集処理部７０に於ける編集処理は、紙面情報とドットコードのレイアウト、コードのドットサイズを印刷機，プリンタ等の分解能に合わせる、あるいは音声のインターリーブ単位毎にその範囲を示す黒いマーカを付加する、無音声時間を示す符号毎に白抜きのマーカを付加する、等の編集作業を含む。
【００８４】
ここで、図８にそれらの印字例を示す。紙片６０に印字されている文字５８に対応して、ドットコード６２が図のように印字されている。即ち、文節にあたる有音部２１４とその区切りを示す黒四角のマーカ２１６、文節と文節の間の無音部（ウエイト時間）２１８とその区切りを示す白抜きのマーカ２２０から構成されている。２種類の特徴の有るマーカ２１６，２２０によって、ユーザは有音部２１４と無音部２１８を判別でき、再生したい文節のみを上記ペン型再生装置６６によってスキャンすることにより、任意の回数繰り返し再生することが可能であり、また、無音部２１８の制御符号を解読／再生制御が実行可能なペン型再生装置を用いて、途中の切れ目を気にすることなく全体をいっきにスキャンすれば、入力と同等の（文章全体の）音声の再生が可能となる。
【００８５】
また、こうして印刷された印刷物は第１実施例と同様に、ＦＡＸ７４により送信される。また、合成及び編集処理部７０で生成されたデータを印刷する代わりに、直接ＦＡＸ送信するものとしても良い。
【００８６】
ここで、第１実施例の図２を参照して、本実施例に於けるドットコード６２の概念を説明する。本実施例のドットコード６２のデータフォーマットでは、１つのブロック７６は、マーカ７８、ブロックアドレス８０、及びアドレスのエラー検出，エラー訂正データ８２と、実際のデータが入るドットデータエリア８４とから成っている。そして、このブロック７６が縦，横、二次元的に配列され、それが集まってドットコード６２という形で形成される。
【００８７】
ここで、音声有無判別部２０６で音声無しと判別された時間のタイムカウンタ値が上記カウンタ値符号化部２１０で符号化された値も、このドットデータエリア８４に記録される。
【００８８】
図９は、本第３実施例を用いた編集例である。無音部分は無視して、文節部分のみを切り貼りしている。切り貼りによらず、ワープロやパソコン上で編集しても良い。
【００８９】
なお、第３実施例に於いては、特に無音部でのタイムカウント処理を設けることなく、単に音声有無判別部２０６のみで音声の切れ目を検出し、「次の音声の入力まで」の単位でインターリーブを行って、印字時にはマーカあるいはドットコードとドットコードの間に認識可能なスペースを設定しても、同等の効果は得られる。
【００９０】
いずれの方法を用いるにしても、インターリーブの範囲は入力される音声の有音部（すなわち文節）の長さに応じて変わるわけであるから、リーダ側でもこれに応じて再生できるようにするためには、記録される媒体側にインターリーブ範囲を示す符号をドットコード毎に付加しなければならない。また、それに応じた読み取り処理／デ・インターリーブ処理をリーダ側で行う必要もある。
【００９１】
例としては、記録側で、ドットコードの最大アドレスを含んだブロックに、それが最大アドレスであることを示すフラグを立てても良く、ドットコードの全てのブロックに最大アドレスの値を付加しても良いが、いずれにしてもリーダ側でドットコードの最大アドレスを認識することにより、それに基づいたデ・インターリーブ処理を行う必要がある。
【００９２】
あるいは、前述の第２実施例のように、インターリーブの範囲を示すマーカそのものが最大アドレス情報を有する場合には、リーダ側はその情報を利用するといったことも可能である。
【００９３】
本第３実施例では有音部と無音部のドットコード毎に、有音部マーカと無音部マーカを付加することとしたが、それらのマーカを付加せずとも、無音時間が長いような音声情報をドットコード化する際には、従来に比べ、無音部分を余分にドットコード化して紙面を占有しない、あるいは余分に無音部分が記録されたドットコードをペン型情報再生装置にてスキャンさせないといった効果がある。
【００９４】
ところで、音声情報が光学的な読み取り可能なコード情報に変換され、一つの記録媒体上に印字された後、あるいはファクシミリを用いた場合は伝送後印字された後、上記の印字された媒体より上記のコード情報が光学的な読取手段によって読み取られ、再び音声情報が復号され、出力されるような装置では、記録コードは可視的なものであって、記録媒体上の任意の位置に記録されていることを前提とされ、従来はこの記録媒体上任意の場所にある可視的な記録コードを目で確認することによって、小型の再生装置等で読み取るものであった。従って、暗闇で記録媒体から上記記録コードを、上記小型の再生装置にてなぞることによって記録コードを読み取り、音を再生するような使用場面、あるいは盲人が同様に音を再生するような使用場面は想定されていない。
【００９５】
また、記録コードは可視的であったため、記録媒体に記録した記録コードを、同様な再生装置を用いた第三者によりなぞられると、やはり同様に再生されてしまうという、秘密保持の上での問題もあった。
【００９６】
以下、これらの問題に対処する手法を説明する。
図１０は、その対処法の第１の例に於いて、音声や音楽などのオーディオ情報をディジタル信号としてテープに印字するための音声情報印字装置のブロック構成図である。
【００９７】
マイクロホンやオーディオ出力機器等の音声入力器１０により入力されるオーディオ信号は、プリアンプ１２にて増幅後、Ａ／Ｄ変換器１４でディジタル信号に変換される。このディジタル化されたオーディオ信号は、ＡＤＰＣＭ回路２０にてデータ圧縮が施され、エラー訂正符号付加回路４４にて誤り訂正符号が付加される。
【００９８】
その後、メモリ（インターリーブ）部４６にてインタリーブが施される。このインタリーブは、データの配列を前もってある規則に従って２次元的に分散させるもので、これにより、再生装置にてデータを元の配列に戻したときに、紙のバースト状の汚れや傷、つまり、エラーそのものが分散され、エラー訂正及びデータの補間がし易くなる。
【００９９】
このメモリ部４６の出力データは、次に、アドレスデータ付加回路５０にて各々のブロック毎にブロックアドレスがＸアドレス，Ｙアドレス毎に付加され、さらにブロック毎に付加されたアドレスに対してアドレス用エラー判定符号（ＣＲＣ符号等）が付加される。
【０１００】
このようにＣＲＣ符号等が付加されたデータは、さらに変調回路５２で記録のための変調を受け、さらにマーカ付加回路５４にて各々のブロックにマーカが付加される。その結果は、プリンタシステム７２にて、所定の厚みをもったテープ等の記録媒体上に印字記録される。
【０１０１】
ここで、図１１の（Ａ）及び（Ｂ）に上記プリンタシステム７２によって印字記録される上記記録媒体を示す。
図１１の（Ａ）に示すような厚みを持ったテープ２２２は、厚みのある紙、あるいはビニール等をロール状にしたものの裏面に、両面テープ等のような簡単にその表面シートが剥がれてのりが露出するようになっており、表面にドットコード６２を記録して、必要な分だけ切り離し、種々のものに貼れるようにしたものである。
【０１０２】
図１１の（Ｂ）は、上記ドットコード６２が記録され、切り離され、書籍等の紙面上に貼付された厚みを持ったテープ２２４を示す。
これにより、例えば、図１２の（Ａ）に示すように、音のデータがドットコード６２として印字された厚みを持ったテープ２２４は、記録媒体としてのシート（紙片）６０上の、画像５６や文字５８の印刷されていない領域に貼付される。ここで、ドットコード６２は、複数のブロック７６から構成されており、各ブロックは、マーカ７８、ブロックアドレス８０、データエリア８４から構成されている。なお、マーカ７８としては既述のように、通常は記録変調で出て来ないようなパターンを用いている。データエリア８４はデータドット２２６から構成され、また、ブロックアドレス８０は当該ブロックの位置を表すデータであり、図示しない誤り訂正符号が付加されている。
【０１０３】
このようなフォーマットのドットコード６２は、「１」，「０」のデータを、例えばバーコードと同様に、「１」を黒ドット有り、「０」を黒ドット無しというようにして、プリンタシステム７２によってシートやテープ印刷物等に印字記録される。
【０１０４】
上記ドットコード６２が上記プリンタシステム７２によって印字記録される際に、物理マーカ付加回路２２８が、厚みを持ったテープ２２４上の上記ドットコード印字周辺部に特徴的な物理マーカ２３０を生成することによって、触覚のみによりテープ上に音声情報の記録の有無、記録の位置を知ることができる。
【０１０５】
ここで、物理マーカ２３０は、厚みを持ったテープ２２４上でドットコード６２の印字開始位置近傍や印字終了位置近傍、あるいはその両方に設けられ、物理的な凸凹やパンチ穴等、触覚により認識できるものであれば何でも良い。
【０１０６】
このように、切り離された、厚みをもったテープ２２４は、そのテープ２２４のエッジ２３２を物理的に参照することによって、後述するペン型再生装置６６を移動させ、上記ドットコード６２は上記再生装置６６によって検出され、音に変換してイヤホーン等の音声出力機６８で聴くことができる。
【０１０７】
なお、本発明のペン型再生装置６６については上述した図５に示す再生装置が採用できるものである。
ここで、図１３に、上記ペン型再生装置６６の別の形態を示す。このペン型再生装置６６は、特に、厚みを持ったテープ２２４上に記録されたドットコード６２を読み取る際、これを容易に読み取れるようにするために、図のように撮像側先端に上記テープ幅と同幅のガイドエッジ２３４が設けてあり、これによって、上記テープ２２４の物理的凸凹に沿ってドットコード６２を読み取り易くしている。
【０１０８】
これは、盲人がドットコードを読み取る場合や、暗闇でドットコードを読み取る際に読み取りが容易になるという効果以外にも、ドットコードを読み取る際の手ぶれが低減されるという効果も有する。
【０１０９】
次に、上記問題の対処法の第２の例を説明する。
図１４はその構成を示す図で、音声や音楽などのオーディオ情報をディジタル信号として紙に印字するためのオーディオ情報印字装置のブロック構成図である。ここで、マイクロホンやオーディオ出力機器等の音声入力器１０乃至マーカ付加回路５４の構成は、上記第１の例と同様であるので、その説明は省略するものとする。
【０１１０】
マーカ付加回路５４でマーカ付加された結果は、透明インク印字システム２３６によって、書籍や雑誌、ノート等のような厚みをもった記録媒体６０上に透明塗料にて直接印字記録がなされる。但し、上記透明インクは不可視であるが、記録後、後述のペン型再生装置６６によって読み取りが可能であるとする。
【０１１１】
ここで、図１５に上記透明インク印字システム２３６によって雑誌／書籍等２３８のような厚みを持った記録媒体のエッジ近辺に、透明塗料による記録データ（ドットコード）２４０が印字記録される様子を示す。いずれも透明塗料による記録データ２４０は、雑誌や書籍等２３８の縁（エッジ）を読み込み基準線２４２として用い、上記第１の例と同様のペン型再生装置６６を用いて再生する場合、上記読み込み基準線２４２を物理的に参照することによって、上記ペン型再生装置６６を移動させ、上記記録データ２４０は上記再生装置６６によって検出され、音に変換してイヤホーン等の音声出力機６８で聴くことができる。
【０１１２】
図１６には、この第２の例での透明インク印字システム２３６を直接印字部２４４、音声入力器１０をマイクロホン２４６として備える小型記録装置２４８を示す。
【０１１３】
該小型記録装置２４８は、厚みを有する記録媒体のエッジを物理的に検出する記録媒体エッジ検出用部材２５０を有し、上記マイクロホン２４６に音声入力後、記録開始ボタン２５２を押下することによって直接印字部２４４を動作させ、記録媒体エッジ検出用部材２５０によって物理的に厚みを持った記録媒体６０のエッジを検出し、上記直接印字部２４４が記録媒体６０上のエッジから均等の近傍に透明なる塗料にて印字する。
【０１１４】
ここで、印字される記録データ２４０のフォーマットは、上記第１の例の図１２の（Ａ）に示すものと同様であるとする。このようなフォーマットの記録データ２４０は、「１」，「０」のデータを、例えばバーコードと同様に、「１」を透明塗料有り、「０」を透明塗料無しというようにして、厚みを持った記録媒体６０上に印字される。
【０１１５】
ここで、図１７には、例えば上記の透明なインク等によってエッジ近傍にドットコード６２が記録された雑誌／書籍等２３８から容易にドットコード６２を読み込み、再生する小型再生装置２５４を示す。これは、本体の記録媒体エッジ検出用部材２５６にて、上記雑誌／書籍等２３８のエッジを読み取り基準線２４２として検出し、該読み取り基準線２４２を検出して小型再生装置２５４の本体をスキャンさせることによって光学的読み取り部２５８にて上記ドットコード６２を読み取る。さらに、再生開始ボタン２６０を押下することによって読み取った上記ドットコード６２の復号処理を行い、最終的にはスピーカ２６２にて出力する。
【０１１６】
以上のように、光学的に読み取り可能に記録される音声や音楽、画像や文字情報の長時間記録及び繰り返しの再生が可能な情報記録再生システムに於いて、従来はこの記録媒体上任意の場所にある可視的な記録コードを目で確認することによって、小型の再生装置等で読み取るものであったものが、物理的な凸凹を基準として記録コードの読み取りが可能となるため、暗闇で記録媒体から上記記録コードを、上記小型の再生装置にてなぞることによって記録コードを読み取り、音を再生することや、あるいは盲人が同様に音を再生することが可能となった。また、従来は記録コードが可視的であったため、記録媒体に記録した記録コードを同様な再生装置を用いた第三者によりなぞられると、やはり同様に再生されてしまうものであったが、書籍等のエッジ等、物理的な凸凹を基準とすることにより、第三者には記録されていることが判らず、かつ、読み出し時にはこの凸凹を基準として確実に読み出すことが可能となるという、秘密保持の上での効果も奏する。
【０１１７】
以上実施例に基づいて本発明を説明したが、本発明は上述した実施例に限定されるものではなく、本発明の要旨の範囲内で種々の変形や応用が可能である。ここで、本発明の要旨をまとめると以下のようになる。
【０１１８】
（１）  オーディオ情報，映像情報，ディジタルコードデータの少なくとも一つを含むマルチメディア情報を入力するための入力手段と、該入力手段により入力されたマルチメディア情報を、光学的に読み取り可能なコードに変換するための変換手段と、該変換手段で変換されたコードを記録媒体上に光学的に読み取り可能に記録する記録手段とを具備し、上記変換手段は、入力された一連のマルチメディア情報に対しインターリーブ処理を施して分散したコードに変換し、上記記録手段は、この分散されたコードを記録媒体上に記録すると共に、このコードの近傍に、上記分散記録した範囲を示すマークを記録することを特徴とする情報記録システム。
【０１１９】
即ち、従来は、コードをリーダでスキャンする際、コードが複数個印字されている場合には、どこまでをスキャンすれば良いのかを判別する手段が無かった。これに対し、インターリーブの範囲を示すマークを記録しておくようにしたので、このマークを参照することによって、効率よく再生のためのスキャン作業を行うことができるようになる。
【０１２０】
（２）  上記マークは、上記マルチメディア情報がインターリーブされる都度、付加されることを特徴とする（１）記載の情報記録システム。
即ち、マークの追加は、マルチメディアデータがインターリーブされる都度行われるので、確実に一つのデータ単位毎にマークが効率良く付与される。
【０１２１】
（３）  上記マークは、再生動作制御のための制御情報を含むことを特徴とする（１）記載の情報記録システム。
即ち、リーダで制御情報を含むマークをスキャンすることによって、その制御情報に従って予め意図された範囲で情報の再生が可能となる。
【０１２２】
（４）  上記マークには、インターリーブの範囲を示す所定の情報を含むことを特徴とする（１）記載の情報記録システム。
即ち、所定の情報を含むマークをスキャンすることで、リーダ側でインターリーブの範囲を自動判別できるようになる。
【０１２３】
（５）  上記マークには、他のコードを区別するための種類識別情報を含むことを特徴とする（１）記載の情報記録システム。
即ち、各コードに対応した再生制御を、記録側で提供することができるようになる。
【０１２４】
（６）  上記マークには、読み取り完了を認識するための完了認識情報を含むことを特徴とする（１）記載の情報記録システム。
即ち、読み取りを完了しないうちに再生動作を開始することを防ぐことができる。
【０１２５】
（７）  上記マークの付与タイミングは、データ変調後に行うことを特徴とする（１）記載の情報記録システム。
即ち、マークまでもが変調されてしまってマークであるということが判別できなくなることを防ぐことができる。
【０１２６】
（８）  上記コードはアドレスデータを含み、上記記録手段は、上記コードのアドレスデータを抜き出し、そのアドレスデータに基づいて上記マークの生成を行なうことを特徴とする（１）記載の情報記録システム。
【０１２７】
即ち、データから直接アドレスデータを抜き出すので、別途アドレス値を計算する必要がなくなる。
（９）  上記入力手段は、入力音声の情報範囲を判定する判定手段を有し、上記変換手段は、上記判定手段によって判定された情報範囲に応じて、上記インターリーブの範囲を決定して、上記入力音声をコードに変換することを特徴とする（１）記載の情報記録システム。
【０１２８】
即ち、再生時には、再生したい再生範囲（例えば文節）だけを再生することができるようになり、あるいは、そのままコード全部をリーダでなぞれば全体を自然に再生することができるようになる。
【０１２９】
（１０）  オーディオ情報，映像情報，ディジタルコードデータの少なくとも一つを含むマルチメディア情報が、インターリーブにより分散されて、光学的に読み取り可能なコードとして記録されている部分と、上記コードの分散記録した範囲を示すと共に再生動作制御のための制御情報を含むマークが当該コードの近傍に併設記録されている部分とを備える記録媒体から、上記コードを光学的に読み取る読取手段と、該読取手段で読み取ったコードを元のマルチメディア情報に変換して出力する再生手段と、上記読取手段によって読み取られた上記コードに併設記録された上記マークの中の制御情報に従って、上記再生手段に於ける再生動作を制御する制御手段とを具備することを特徴とする情報再生システム。
【０１３０】
即ち、再生動作制御のための制御情報を選択的に読み込むことによって、制御情報に従って予め意図された範囲で情報の再生が可能となり、特段のスイッチ操作が不要となる。
【０１３１】
（１１）  上記マークには、他のコードを区別するための種類識別情報を含み、上記制御手段は、上記マーク中の種類識別情報に基づいて、データとマークとを弁別する手段を有することを特徴とする（１）記載の情報再生システム。
【０１３２】
即ち、各コードに対応した再生制御を確実に、まちがいなく行うことができるようになる。
（１２）  オーディオ情報，映像情報，ディジタルコードデータの少なくとも一つを含むマルチメディア情報が、インターリーブにより分散されて、光学的に読み取り可能なコードとして記録されている部分と、上記コードの分散記録した範囲を示すマークが当該コードの近傍に併設記録されている部分とを具備することを特徴とする情報記録媒体。
【０１３３】
即ち、従来は、コードをリーダでスキャンする際、コードが複数個印字されている場合には、どこまでをスキャンすれば良いのかを判別する手段が無かった。これに対し、インターリーブの範囲を示すマークを記録しておくようにしたので、このマークを参照することによって、効率よく再生のためのスキャン作業を行うことができるようになる。
【０１３４】
（１３）  上記マークが再生動作制御のための制御情報を含むことを特徴とする（１２）記載の情報記録媒体。
即ち、リーダで制御情報を含むマークをスキャンすることによって、その制御情報に従って予め意図された範囲で情報の再生が可能となる。
【０１３５】
（１４）  上記マルチメディア情報が、有音部と無音部とから成る音声情報であり、上記コードはこれら有音部と無音部をコード化してなることを特徴とする（１２）記載の情報記録媒体。
【０１３６】
即ち、再生時には、再生したい再生範囲（例えば文節）だけを再生することができるようになり、あるいは、そのままコード全部をリーダでなぞれば全体を自然に再生することができるようになる。
【０１３７】
（１５）  上記マークは、上記有音部及び無音部を識別可能なものであることを特徴とする（１４）記載の情報記録媒体。
即ち、該当するコードが有音部であるのか無音部であるのかをマークにより識別できるようになる。
【０１３８】
（１６）  マルチメディア情報を入力するための入力手段と、該入力手段により入力されたマルチメディア情報を、光学的に読み取り可能なコードに変換するための変換手段と、該変換手段で変換されたコードを記録媒体上に印刷記録する記録手段と上記記録媒体上に印刷されたコードを光学的に読み取る読取手段と、該読取手段で読み取ったコードをマルチメディア情報に逆変換する逆変換手段と、該逆変換により逆変換されたマルチメディア情報を音として出力する音出力手段とを具備し、少なくとも上記読取手段及び逆変換手段を携帯可能なハンディ型の筐体内に収納してなることを特徴とするマルチメディア情報記録再生システムに於いて、上記記録媒体の物理的な凸凹を基準として上記読取手段が移動することによって上記記録コードが上記読取手段によって光学的に読み取られ、読み取られた上記記録コードが上記逆変換手段によってマルチメディア情報に逆変換され、該逆変換手段により逆変換されたマルチメディア情報が音出力手段によって音声として出力されることを特徴とする記録媒体、及びそれを記録する記録装置、あるいはこれを容易に読み取り可能な物理的凸凹検出手段を有する再生装置。
【０１３９】
即ち、暗闇に於いても、また盲人によっても、読み取ることが容易に可能となる。
（１７）  あるいは上記記録コードが印字開始された位置の近傍に物理的凸凹を設けたことを特徴とする（１６）記載の記録媒体。
【０１４０】
即ち、（１６）の効果に加え、再生装置のスキャン開始位置が同様の状況下で判別可能となる。
（１８）  マルチメディア情報を入力するための入力手段と、該入力手段により入力されたマルチメディア情報を、光学的に読み取り可能なコードに変換するための変換手段と、該変換手段で変換されたコードを記録媒体上に印刷記録する記録手段と上記記録媒体上に印刷されたコードを光学的に読み取る読取手段と、該読取手段で読み取ったコードをマルチメディア情報に逆変換する逆変換手段と、該逆変換により逆変換されたマルチメディア情報を音として出力する音出力手段とを具備し、少なくとも上記読取手段及び逆変換手段を携帯可能なハンディ型の筐体内に収納してなることを特徴とするマルチメディア情報記録再生システムに於いて、上記記録コードが透明な塗料にて上記記録媒体上に印字されており、かつ、上記読取手段により読み取りが可能な記録媒体、あるいはこれを記録することを特徴とする記録装置、あるいはエッジ付近に記録されており、かつ、上記読取手段により読み取りが可能な記録媒体、あるいはこれを印字する記録装置。
【０１４１】
即ち、透明かつ読み取り可能なインクを用いることにより、情報が秘匿性を得ることができる。
（１９）  上記（１６）に於いて、読み取り可能な物理的凸凹検出手段を有する再生装置。
【０１４２】
即ち、上記（１８）の利点に加え、物理的凹凸によりこれを読み取ることが可能となる。
（２０）  そのエッジを基準線として用いることにより、光学的読取装置の読取動作が可能な位置に記録コードの印字された厚みを持った記録媒体。
【０１４３】
即ち、特別な物理的凹凸を設けることなく、上記（１６）の効果を得ることができる。
（２１）  上記記録媒体の記録コードが光学的読取手段によれば読み取り可能な透明塗料で印字されることを特徴とする（２０）記載の記録媒体。
即ち、特別な目印を設けることなく、上記（１９）の効果を得ることができる。
【０１４４】
【発明の効果】
以上詳述したように、本発明によれば、マルチメディア情報が大量にあり、一つの再生単位のマルチメディア情報が記録媒体上で複数の列にまたがって印字されている場合にも、簡単な操作で効率良くマルチメディア情報の再生ができるようにする情報記録システム及び情報記録媒体を提供することができる。
【０１４５】
つまり、本発明によれば、光学的に読み取り可能に記録される音声や音楽、画像や文字情報の長時間記録及び繰り返しの再生が可能な情報記録再生システムに於いて、マルチメディア情報が大量にあり、一つの再生単位のマルチメディア情報が記録媒体上で複数の列にまたがって印字されている場合にも、マルチメディア情報の再生のためにリーダを複数の列にまたがって手動走査させる時に、それらの再生単位を示すマークが記録媒体上に施されているため、少なくともこれを参照することにより効率良くマルチメディア情報が再生できる。
【０１４６】
また、このマークが再生制御を行う制御ブロックから構成されているものであれば、上記の効率的効果に加え、これに対応するリーダにて上記制御ブロックを読み取ることによりコードに応じた再生制御を行うことが可能となり、上記マークをスキャンするか否かだけによってその再生制御を実行するか否かを選択できる。
【０１４７】
また、マルチメディア情報のうち特にオーディオ情報については、音声や音楽の入力時、自動的にオーディオ入力に対して文節あるいは楽節毎にインターリーブを施すので、聞きたい文節や楽節のみ（あるいは連続した複数の文節や楽節）を選択的に繰り返し再生することが可能となる。さらに、切り貼りやパソコンディスプレイ上で文節あるいは楽節毎に任意に組み合わせて編集することが可能となる。また、コード毎のマーカを設けずとも、会議等で長いこと発言の無いような無音時間の長い音声を記録する際には、無音時間がわずかなスペースで記述されるため、この方法によるメリットは大きい。
【図面の簡単な説明】
【図１】本発明の第１実施例に於けるマルチメディア情報記録装置のブロック構成図である。
【図２】（Ａ）はドットコードの記録フォーマットを示す図であり、（Ｂ）は第１実施例に於ける再生装置の使用状況を示す図である。
【図３】本発明の第２実施例に於けるマルチメディア情報記録装置のブロック構成図である。
【図４】ドットコード制御ブロックの記録フォーマットを示す図である。
【図５】第２実施例に於けるマルチメディア情報再生装置のブロック構成図である。
【図６】図５のマルチメディア情報再生装置に於ける光源発光タイミングチャートである。
【図７】本発明の第３実施例に於けるオーディオ情報記録装置のブロック構成図である。
【図８】図７のオーディオ情報記録装置により得られる記録例を示す図である。
【図９】第３実施例を用いた編集例を示す図である。
【図１０】可視的記録コードに於ける問題点に対する第１の対処法を説明するための音声情報印字装置のブロック構成図である。
【図１１】（Ａ）及び（Ｂ）はそれぞれ図１０中のプリンタシステムによって印字記録される記録媒体を示す図である。
【図１２】（Ａ）は第１の対処法に於けるドットコードの記録フォーマットを示す図であり、（Ｂ）は再生装置の使用状況を示す図である。
【図１３】第１の対処法に於けるペン型再生装置の別の形態を示す図である。
【図１４】可視的記録コードに於ける問題点に対する第２の対処法を説明するための音声情報印字装置のブロック構成図である。
【図１５】図１４中の透明インク印字システムによって厚みを持った記録媒体のエッジ近辺に透明塗料による記録データが印字記録される様子を示す図である。
【図１６】第２の対処法に於いて透明インク印字システムを直接印字部、音声入力器をマイクロホンとして備える小型記録装置を示す図である。
【図１７】第２の対処法に於ける小型再生装置を示す図である。
【符号の説明】
４６…データメモリ（インターリーブ）部、４８…インターリーブ範囲提示マーク付加処理部、６４…インターリーブ範囲提示マーク、９０…アドレスデータ抜き取り部、９２…制御符号付加部、９４…制御符号用エラー判定符号付加部、９６…第２データ合成部、９８…変調回路、１００…第２マーカ付加部、１０２…ドットコード制御ブロック、１０４…第２マーカ、１０６…制御符号データ、１０８…最大ブロックアドレス，共通シリアルナンバ、１１０…エラー検出用データ、１１２…ドットコード制御ブロック付加処理部、１６８…再生制御部、１７０…再生制御テーブル、２０６…音声有無判別部、２０８…タイムカウンタ、２１０…カウンタ値符号化部、２１２…エラー訂正符号付加部、２１４…有音部、２１６…有音部マーカ、２１８…無音部、２２０…無音部マーカ。
【図１】
0003599776.tif 000002
【図２】
0003599776.tif 000003
【図３】
0003599776.tif 000004
【図４】
0003599776.tif 000005
【図５】
0003599776.tif 000006
【図６】
0003599776.tif 000007
【図７】
0003599776.tif 000008
【図８】
0003599776.tif 000009
【図９】
0003599776.tif 000010
【図１０】
0003599776.tif 000011
【図１１】
0003599776.tif 000012
【図１２】
0003599776.tif 000013
【図１３】
0003599776.tif 000014
【図１４】
0003599776.tif 000015
【図１５】
0003599776.tif 000016
【図１６】
0003599776.tif 000017
【図１７】
0003599776.tif 000018